(57)【要約】      （修正有）【課題】波長５００〜６００ナノメートルの光を有効活用することのできる太陽光発電システムを備えた農園芸用施設を提供する。【解決手段】農園芸用施設であって、（Ａ）採光部分１と両面発電型モジュール２とを有する太陽光発電システム及び（Ｂ）波長５００〜６００ナノメートルの光を反射する部材３を有し、（１）（Ａ）太陽光発電システムは、農園芸用施設の太陽光が直射する箇所の少なくとも一部分に設けられていること；（２）（Ａ）太陽光発電システムの採光部分を透過した光４の少なくとも一部は、（Ｂ）部材３に入射すること；（３）（Ｂ）部材３に反射された波長５００〜６００ナノメートルの光５の少なくとも一部は、上記（Ａ）太陽光発電システムの両面発電型モジュール２に入射すること；（４）（Ｂ）部材３を透過した光６の少なくとも一部は、施設内部に入射すること；とする。【選択図】図１
2015204755.tif 000002
【特許請求の範囲】
【請求項１】
農園芸用施設であって、
（Ａ）採光部分と両面発電型モジュールとを有する太陽光発電システム；及び
（Ｂ）波長５００〜６００ナノメートルの光を反射する部材；
を有し、
（１）上記（Ａ）太陽光発電システムは、農園芸用施設の太陽光が直射する箇所の少なくとも一部分に設けられていること；
（２）上記（Ａ）太陽光発電システムの採光部分を透過した光の少なくとも一部は、上記（Ｂ）部材に入射すること；
（３）上記（Ｂ）部材に反射された波長５００〜６００ナノメートルの光の少なくとも一部は、上記（Ａ）太陽光発電システムの両面発電型モジュールに入射すること；
（４）上記（Ｂ）部材を透過した光の少なくとも一部は、施設内部に入射すること；
を特徴とする農園芸用施設。
【請求項２】
上記（Ｂ）波長５００〜６００ナノメートルの光を反射する部材が、
（Ｂ２）波長５００〜６００ナノメートルと波長８００〜１２００ナノメートルの光を反射する部材；
であることを特徴とする請求項１に記載の農園芸用施設。
【請求項３】
更に（Ｃ）光拡散性部材を有し、
（５）上記（Ｂ）波長５００〜６００ナノメートルの光を反射する部材を透過した光の少なくとも一部は、上記（Ｃ）光拡散性部材に入射し、その透過光の少なくとも一部が施設内部に入射すること；
を特徴とする請求項１又は２に記載の農園芸用施設。
【発明の詳細な説明】
【技術分野】
【０００１】
本発明は、農園芸用施設に関する。更に詳しくは、農園芸作物の生育に必要な光は透過させつつ、その余の光は効率的に太陽光発電に利用することのできる太陽光発電システムを備えた農園芸用施設に関する。
【背景技術】
【０００２】
近年、石油等の化石燃料や原子力に替わる新たなエネルギー源として、太陽光発電が注目を集めており、住宅や農園芸用ハウスの屋根等への太陽光発電システムの設置が進んでいる。太陽光発電システムを農園芸用ハウスの屋根の上や農地に設置された架台の上に設置する場合は、農園芸作物の生育に必要な光を施設内に採り入れるため、採光部分を有する太陽光発電システムが使用される。そして採光部分を透過した光は、全て農園芸作物の生育に使用されることになる。
【０００３】
しかし、農園芸作物の生育に必要とする光は、可視光線の中でも波長４００〜５００ナノメートルと６００〜７００ナノメートルの光であり（非特許文献１）、波長５００〜６００ナノメートルの光は生育への寄与は小さい。つまりこれまでは波長５００〜６００ナノメートルの光が有効活用されていなかった。
【０００４】
農園芸用施設等に使用する採光部分を有する太陽光発電システムとして、両面発電型のものを使用することは公知であり、「採光部分を有し太陽光を内部に採光するように構成した建物内の該採光部分の直下に、複数枚の太陽電池セルを並設し透明な合成樹脂で被覆してなる薄型軽量太陽電池モジュールを配設するか又は複数の該薄型軽量太陽電池モジュールを配設した構成の太陽電池アレイを設け、前記建物内への採光は前記太陽電池モジュールの太陽電池セルと太陽電池セルの間及び／又は前記太陽電池アレイの太陽電池モジュールと太陽電池モジュールの間から行うようにしたことを特徴とする遮光・調光機能付太陽光発電システム。」、及び上記のシステムにおいて、「太陽電池モジュールに両面発電可能な太陽電池セルを用い、該太陽電池モジュールは屋外から入射する太陽光の他、屋内で反射・散乱した光でも発電できるように構成したことを特徴とする遮光・調光機能付太陽光発電システム。」が提案されている（特許文献１）。しかし、波長５００〜６００ナノメートルの光が有効活用されていないという課題については、何の記載も示唆もない。また、寒冷期であっても、晴天の日中には、農園芸作物の生育に必要な光をハウス内に採り入れることにより、ハウス内部の温度は大きく上昇するため、農園芸用ハウスの内部が高温になることにより育成に障害が生じ易い農園芸作物、例えば、イチゴやレタスなどの場合には、冷房を必要としているという問題を解決する方法については、何の記載も示唆もない。
【０００５】
更に採光部分を有していても、採光部分以外の箇所による影が出来るため、農園芸作物の受け取る光量は場所により違い、その生育状態にばらつきが出易いという問題があった。またこの問題を解決するため、太陽光発電システムのアレイを非常に高い位置に設置することが行われているが、システムのメンテナンス作業性やメンテナンス作業時の安全性が低下する；システムが強風により被害を受け易い；という新たな問題を生じていた。
【先行技術文献】
【特許文献】
【０００６】
【特許文献１】特開２００２−０２６３５７号公報
【非特許文献】
【０００７】
【非特許文献１】植物の成長・発育と光質の関係http://www.nodai.ac.jp/journal/research/amaki/050708.html
【発明の概要】
【発明が解決しようとする課題】
【０００８】
本発明の課題は、波長５００〜６００ナノメートルの光を有効活用することのできる太陽光発電システムを備えた農園芸用施設を提供することにある。本発明の第２の課題は、農園芸作物の生育に必要な光は透過させつつ、その余の光は効率的に太陽光発電に利用し、農園芸用施設内部の温度上昇を抑制することのできる太陽光発電システムを備えた農園芸用施設を提供することにある。本発明の第３の課題は、任意の低い位置に採光部分を有する太陽光発電システムのアレイを設置しても、農園芸作物の受け取る光量が場所によらず一定となり、その生育状態のばらつきを小さくすることのできる太陽光発電システムを備えた農園芸用施設を提供することにある。
【課題を解決するための手段】
【０００９】
本発明者は、鋭意研究した結果、採光部分と両面発電型モジュールとを有する太陽光発電システム、及び波長５００〜６００ナノメートルの光を反射する部材を有し、これらが特定の条件に構成された農園芸用施設により、上記課題を達成できることを見出した。
【００１０】
すなわち、本発明は、農園芸用施設であって、
（Ａ）採光部分と両面発電型モジュールとを有する太陽光発電システム；及び
（Ｂ）波長５００〜６００ナノメートルの光を反射する部材；
を有し、
（１）上記（Ａ）太陽光発電システムは、農園芸用施設の太陽光が直射する箇所の少なくとも一部分に設けられていること；
（２）上記（Ａ）太陽光発電システムの採光部分を透過した光の少なくとも一部は、上記（Ｂ）部材に入射すること；
（３）上記（Ｂ）部材に反射された波長５００〜６００ナノメートルの光の少なくとも一部は、上記（Ａ）太陽光発電システムの両面発電型モジュールに入射すること；
（４）上記（Ｂ）部材を透過した光の少なくとも一部は、施設内部に入射すること；
を特徴とする農園芸用施設である。
【００１１】
本発明の第２の発明は、上記（Ｂ）波長５００〜６００ナノメートルの光を反射する部材が、
（Ｂ２）波長５００〜６００ナノメートルと波長８００〜１２００ナノメートルの光を反射する部材；
であることを特徴とする第１の発明に記載の農園芸用施設である。
【００１２】
本発明の第３の発明は、更に（Ｃ）光拡散性部材を有し、
（５）上記（Ｂ）波長５００〜６００ナノメートルの光を反射する部材を透過した光の少なくとも一部は、上記（Ｃ）光拡散性部材に入射し、その透過光の少なくとも一部が施設内部に入射すること；
を特徴とする第１の発明又は第２の発明に記載の農園芸用施設である。
【発明の効果】
【００１３】
本発明の太陽光発電システムを備えた農園芸用施設は、農園芸作物の生育に不必要な光は効率的に太陽光発電に利用することができ、農園芸用施設内部の温度上昇を抑制することができる。また本発明の第三の発明では、更に任意の低い位置に採光部分を有する太陽光発電システムのアレイを設置しても、農園芸作物の受け取る光量が場所によらず一定となり、その生育状態のばらつきを小さくすることができる。
【発明を実施するための形態】
【００１４】
本発明の農園芸用施設は、（Ａ）採光部分と両面発電型モジュールとを有する太陽光発電システム；及び（Ｂ）波長５００〜６００ナノメートルの光を反射する部材；を有する。
【００１５】
本明細書において、「農園芸用施設」とは、農園芸用ハウスのみならず、農地に設置された架台に太陽光発電システムを設置した施設も含む用語である。また「農園芸用施設内部」とは、農園芸用ハウスの場合はハウス内部であり、農地に設置された架台に太陽光発電システムを設置した施設の場合は、太陽光発電システムの下となる場所である。
【００１６】
（Ａ）採光部分と両面発電型モジュールとを有する太陽光発電システム：
上記太陽光発電システムＡの採光部分は、発電要素と発電要素との間に設けた隙間である。隙間の設け方は制限されず、任意である。例えば、太陽電池セルに隙間を施したタイプ、太陽電池モジュールのセルとセルとの間に隙間を設けたタイプ、太陽電池アレイのモジュールとモジュールとの間に隙間を設けたタイプ、太陽電池アレイと太陽電池アレイとの間に隙間を設けたタイプ、及びこれらを任意に組み合わせたタイプなどをあげることができる。隙間の形も任意であり、例えば、直線状、曲線状、円形、三角形、四角形、六角形などの連続した、又は／及び独立した隙間を設けることができる。
【００１７】
なお本明細書において、太陽電池セルとは、太陽電池素子そのもののことであり、太陽電池の基本単位となるものである。太陽電池モジュールとは、太陽電池セルを複数並べて配線し、強化ガラス等で保護・パッケージ化したものである。太陽電池アレイとは、太陽電池モジュールを複数並べて配線したものであり、太陽光発電システムの発電要素の設置単位となるものである。太陽光発電システムとはアレイ、及び制御系等を含むものである。
【００１８】
上記太陽光発電システムＡの採光部分の全光線透過率は、通常５０％以上である。農園芸作物の生育や、発電効率の観点から、採光部分の全光線透過率は高いほど好ましく、７０％以上が好ましい。
【００１９】
上記太陽光発電システムＡの採光部分の面積の、太陽光発電システムＡの全太陽光受光面積に対する割合は、特に制限されず、採光部分の全光線透過率や農園芸用施設内部で栽培される作物の種類などを勘案して、任意に決めることができる。例えば、イチゴやレタスなどの高温に弱い作物を栽培するときは、遮光効果を大きくするため、上記割合を小さくすることが好ましい。
【００２０】
上記太陽光発電システムＡの両面発電型モジュールは、両面からの発電が可能なモジュールである。本発明に使用する両面発電型モジュールは、特に制限されず、例えば、表裏対象構造の太陽電池セルを、表面ガラスと裏面ガラスとでサンドイッチ構造にしたモジュール；表面のみ発電可能なモジュールを組み合わせ、モジュール組合体として両面からの発電を可能にしたもの；など任意の両面からの発電が可能なモジュールを使用することができるが、裏面側で発電に使用する光は、主に上記部材Ｂで反射された波長５００〜６００ナノメートルの光（第２の発明の場合は、波長５００〜６００ナノメートルの光と波長８００〜１２００ナノメートルの光）となるので、少なくとも裏面側については、これらの波長領域の分光感度の高いものが好ましい。例えば、アモルファスシリコン型、結晶シリコン型、及びＣＩＳ（カルコパイライト）型などをあげることができる。
【００２１】
（Ｂ）波長５００〜６００ナノメートルの光を反射する部材
上記部材Ｂは、波長５００〜６００ナノメートルの光を反射し、それ以外の光は透過する部材である。
【００２２】
上記部材Ｂの波長５００〜６００ナノメートルの光の反射率（以下、反射率Ｂと略すことがある。）は、好ましくは３０％以上、好ましくは４０％以上である。反射率Ｂは、高いほど太陽光発電効率が上がり、農園芸用施設内部の温度上昇を抑制することができるため好ましい。
【００２３】
なお本明細書において、反射率Ｂは、波長５００〜６００ナノメートルの全範囲における日射の反射率が１００％であると仮定した場合の反射スペクトルの積分面積に対する波長５００〜６００ナノメートルにおける日射の反射スペクトルの積分面積の割合であり、島津製作所株式会社の分光光度計「ＳｏｌｉｄＳｐｅｃ−３７００（商品名）」を用い、光を入射角０°で部材Ｂに入射させて測定した値である。
【００２４】
また上記部材Ｂは、農園芸作物の生育に必要とする、波長４００〜５００ナノメートルと波長６００〜７００ナノメートルの光の透過率（以下、透過率Ｂと略すことがある。）は高いことが好ましい。透過率Ｂは、好ましくは５０％以上、より好ましくは７０％以上である。
【００２５】
なお本明細書において、透過率Ｂは、波長４００〜５００ナノメートルと波長６００〜７００ナノメートルの全範囲における日射の透過率が１００％であると仮定した場合の透過スペクトルの積分面積に対する波長４００〜５００ナノメートルと波長６００〜７００ナノメートルにおける日射の透過スペクトルの積分面積の割合であり、島津製作所株式会社の分光光度計「ＳｏｌｉｄＳｐｅｃ−３７００（商品名）」を用い、光を入射角０°で部材Ｂに入射させて測定した値である。
【００２６】
このような上記部材Ｂとしては、例えば、例えば、二軸延伸ポリエチレンテレフタレートフィルムなどの任意の透明ウェブ基材の少なくとも片面に、スパッタリング、蒸着、コーティング等の手法を用いて、高屈折率層と低屈折率層とを交互に多積層したもの；高屈折率の透明熱可塑性樹脂組成物と低屈折率の透明熱可塑性樹脂組成物との共押出交互多層積層体；などの光学的な干渉により波長５００〜６００ナノメートルの光を反射するものをあげることができる。
【００２７】
上記部材Ｂの形状は、任意である。通常は、シート状のものを好ましく使用できるが、これに制限されない。例えば、図２に示すようにプリズム状であってもよい。
【００２８】
本発明の農園芸用施設は、（１）上記太陽光発電システムＡは、農園芸用施設の太陽光が直射する箇所の少なくとも一部分に設けられていること；（２）上記太陽光発電システムＡの採光部分を透過した光の少なくとも一部は、上記部材Ｂに入射すること；（３）上記部材Ｂに反射された波長５００〜６００ナノメートルの光の少なくとも一部は、上記太陽光発電システムＡの両面発電型モジュールに入射すること；（４）上記部材Ｂを透過した光の少なくとも一部は、施設内部に入射すること；を特徴とする。
【００２９】
上記太陽光発電システムＡは、太陽光を効率的に受光するために、太陽光が直射する箇所の少なくとも一部、好ましくは全部に設けられる。
【００３０】
上記太陽光発電システムＡの採光部分を透過した光の少なくとも一部、好ましくは全部は、上記部材Ｂに入射し、波長５００〜６００ナノメートルの光は反射され、それ以外の波長の光は部材Ｂを透過し、その少なくとも一部、好ましくは全部は施設内部に入射して、施設内で栽培されている農園芸作物の生育に用いられる。反射された波長５００〜６００ナノメートルの光の少なくとも一部、好ましくは全部は、上記太陽光発電システムＡの両面発電型モジュールに入射し、太陽光発電に利用される。
【００３１】
実施態様としては、例えば、図１や図２に示すように、上記太陽光発電システムＡの採光部分を透過した光が、上記部材Ｂに直接入射するように構成しても良いし、例えば、図３に示すように、太陽光発電システムＡの採光部分を透過した光を１以上の鏡などの全光線反射部材で反射し、部材Ｂに間接的に入射するように構成しても良い。部材Ｂに直接入射する実施態様では、システムを簡素で低コストなものにすることができる。部材Ｂに間接的に入射する実施態様では、部材Ｂにより反射された波長５００〜６００ナノメートルの光が、上記太陽光発電システムＡの両面発電型モジュールに入射することなく、再び採光部分を透過してしまうというロスを減らすことができる。
【００３２】
本発明の第２の発明について説明する。第２の発明には、上記部材Ｂとして、（Ｂ２）波長５００〜６００ナノメートルと波長８００〜１２００ナノメートルの光を反射し、それ以外の光は透過する部材を使用する。そのため波長８００〜１２００ナノメートルの光、所謂「熱線」、を反射して太陽光発電に利用し、農園芸用施設内部に入射しないようにすることができる。これにより農園芸作物の生育に不必要な光は効率的に太陽光発電に利用し、農園芸用施設内部の温度上昇を抑制する効果が更に高まる。
【００３３】
上記部材Ｂ２の波長５００〜６００ナノメートルの光の反射率（以下、反射率Ｂ２と略すことがある。。測定方法は反射率Ｂに同じ。）は、好ましくは３０％以上、好ましくは４０％以上である。反射率Ｂ２は、高いほど太陽光発電効率が上がり、農園芸用施設内部の温度上昇を抑制することができるため好ましい。
【００３４】
上記部材Ｂ２の波長８００〜１２００ナノメートルの光の反射率は、（以下、赤外反射率Ｂ２と略すことがある。）は、好ましくは３０％以上、好ましくは４０％以上である。赤外反射率Ｂ２は、高いほど太陽光発電効率が上がり、農園芸用施設内部の温度上昇を抑制することができるため好ましい。
【００３５】
なお本明細書において、赤外反射率Ｂ２は、波長８００〜１２００ナノメートルの全範囲における日射の反射率が１００％であると仮定した場合の反射スペクトルの積分面積に対する波長８００〜１２００ナノメートルにおける日射の反射スペクトルの積分面積の割合であり、島津製作所株式会社の分光光度計「ＳｏｌｉｄＳｐｅｃ−３７００（商品名）」を用い、光を入射角０°で部材Ｂ２に入射させて測定した値である。
【００３６】
また上記部材Ｂ２は、農園芸作物の生育に必要とする、波長４００〜５００ナノメートルと波長６００〜７００ナノメートルの光の透過率（以下、透過率Ｂ２と略すことがある。測定方法は透過率Ｂに同じ。）は高いことが好ましい。透過率Ｂ２は、好ましくは５０％以上、より好ましくは７０％以上である。
【００３７】
上記部材Ｂ２としては、例えば、上記部材Ｂと波長８００〜１２００ナノメートルの光を反射し、それ以外の光は透過する部材（以下、部材Ｂ−２と略すことがある。）との積層体をあげることができる。
【００３８】
上記部材Ｂ−２としては、例えば、二軸延伸ポリエチレンテレフタレートフィルムなどの任意の透明ウェブ基材の少なくとも片面に、スパッタリング、蒸着、コーティング等の手法を用いて、高屈折率層と低屈折率層とを交互に多積層したもの；高屈折率の透明熱可塑性樹脂組成物と低屈折率の透明熱可塑性樹脂組成物との共押出交互多層積層体；などの光学的な干渉により波長８００〜１２００ナノメートルの光を反射するものをあげることができる。
【００３９】
また所望により、例えば、波長７００〜８００ナノメートルの光を反射し、それ以外の光は透過する部材（以下、部材Ｂ−３と略すことがある。）を更に用いることにより；あるいは、上記部材Ｂ−２の替わりに、波長７００〜１２００ナノメートルの光を反射し、それ以外の光は透過する部材（以下、部材Ｂ−４と略すことがある。）を用いることにより；波長７００〜８００ナノメートルの光を農園芸用施設内部に入射させないようにしてもよい。トウモロコシやサトウキビなどの農園芸作物は、非常に背が高くなる（通常２〜４メートル）ため、太陽電池モジュールを４メートル以上の高所に設置しなくてはならない。しかし、上記部材Ｂと部材Ｂ−３との積層体を用いることで；あるいは部材Ｂと部材Ｂ−４との積層体を用いることで；波長７００〜８００ナノメートルの光を反射、即ち、トウモロコシやサトウキビなどの農園芸作物には照射しないようにすることにより、その背を低くし、太陽電池モジュールの設置位置を低くすることができるようになる。
【００４０】
上記部材Ｂ２の形状は、任意である。通常は、シート状のものを好ましく使用できるが、これに制限されない。
【００４１】
本発明の第３の発明について説明する。第３の発明は、更に（Ｃ）光拡散性部材を有し、（５）上記（Ｂ）波長５００〜６００ナノメートルの光を反射する部材を透過した光の少なくとも一部は、上記（Ｃ）光拡散性部材に入射し、その透過光の少なくとも一部が施設内部に入射すること；を特徴とする。
【００４２】
太陽光発電システムが採光部分を有していても、採光部分以外の箇所による影が出来るため、農園芸作物の受け取る光量は場所により違うものになる。光量の位置依存性は、太陽光発電システムの採光部分からの距離を十分に遠くすることによっても減じることはできるが、そのためには太陽光発電システムのアレイを非常に高い位置に設置しなくてはならなくなる。するとシステムのメンテナンスは高所作業となり、その作業性や安全性は低いものになる。また高所であるため、システムが強風により被害を受け易いという問題も生じる。そこで第３の発明においては、採光部分、及び上記部材Ｂを透過した光の少なくとも一部、好ましくは全部を光拡散性部材Ｃに入射させ、その透過拡散光の少なくとも一部、好ましくは全部を農園芸用施設内部へと入射させることにより、任意の低い位置に太陽電池システムのアレイを設置したとしても、光量の位置依存性を減らし、農園芸作物の受け取る光量が場所によらず一定となり、その生育状態のばらつきを小さくすることができるようにしたものである。
【００４３】
なお本発明の第３の発明の農園芸用施設では、太陽光発電システムのアレイを、任意の低い位置に設置することができるが、実際の設置高さは、通常、農園芸用施設で栽培される作物の生育や施設内部における農作業性に支障のない高さを勘案して決定することが好ましい
【００４４】
上記光拡散性部材Ｃは、十分な光拡散性が得られ、全光線透過率の高いものであれば制限されず、任意のものを用いることができる。例えば、透明樹脂からなるマトリックス中に、光拡散剤を分散させた樹脂組成物からなる部材をあげることができる。
【００４５】
上記透明樹脂としては、ポリメタクリル酸エステル系樹脂、ポリスチレン系樹脂及びポリカーボネート系樹脂などをあげることができる。
【００４６】
上記光拡散剤としては、結晶性シリカ、無定形シリカ、炭酸カルシウム、硫酸バリウム、水酸化アルミニウム、及び酸化チタン等の無機系微粒子；ガラス繊維等の無機系繊維；架橋アクリル系粒子、架橋シリコン系粒子及び架橋スチレン系粒子等の架橋樹脂微粒子；などをあげることができる。
【００４７】
上記光拡散性部材Ｃの形状は、任意である。通常は、シート状のものを好ましく使用できるが、これに制限されない。
【００４８】
上記光拡散性部材Ｃの光拡散性は、図４に示すように、光拡散性部材１１の表面に、光線を光源７から入射角０°で入射したとき、透過光（出射光）の光量が、０°の値の１／２の値になる角度θとして評価することができる。上記角度θは、大きいほど光拡散性が良好なことを示す。上記光拡散性部材Ｃの光拡散性は、全光線透過率を高く保持できる範囲内において、大きいほど好ましい。島津製作所株式会社の分光光度計「ＳｏｌｉｄＳｐｅｃ−３７００（商品名）」を使用し、波長３８０〜７８０ナノメートルの全範囲における日射を測定光として用いて測定したとき、上記角度θは好ましくは２０°以上、より好ましくは２３°以上である。
【００４９】
上記光拡散性部材Ｃの全光線透過率は、８０％以上が好ましく、８５％以上がより好ましい。全光線透過率は、高いほど好ましい。
【００５０】
なお本明細書において、全光線透過率は、ＪＩＳ Ｋ ７３６１−１：１９９７に従い、日本電色工業株式会社の濁度計「ＮＤＨ２０００（商品名）」を用いて測定した値である。
【００５１】
上記光拡散性部材Ｃは、例えば、上記部材Ｂや上記部材Ｂ２の農園芸用施設内部側の面に積層して、あるいは部材Ｂや部材Ｂ２の農園芸用施設内部側に一定の距離を開けて設けることができる。
【００５２】
本発明の構成が、実施例により具体的に説明されたが、これらは本発明を例示的に説明したものに過ぎず、本発明の技術分野における通常の知識を有する者であれば、本発明の本質的な特徴から外れない範囲内で様々な変形が可能である。本明細書に開示された実施例により、本発明の技術思想と技術的範囲が何ら限定されるものではない。本発明の技術的範囲は、特許請求の範囲の記載に基づいて定められるべきであり、これと同等の範囲内にある全ての技術は、本発明の技術的範囲に含まれるものと解釈されるべきである。
【図面の簡単な説明】
【００５３】
【図１】本発明に用いる太陽光発電システムの一例を示す概念図である。
【図２】本発明に用いる太陽光発電システムの他の一例を示す概念図である。
【図３】本発明に用いる太陽光発電システムの他の一例を示す概念図である。
【図４】光拡散性部材の光拡散性を評価する装置の一例を示す概念図である。
【符号の説明】
【００５４】
１：採光部分
２：両面発電型モジュール
３：波長５００〜６００ナノメートルの光を反射する部材Ｂ
４：採光部分を透過し、部材Ｂに入射する光
５：部材Ｂで反射され、両面発電型モジュールに入射する光
６：部材Ｂを透過し、農園芸用施設内部に入射する光
７：両面発電型モジュールに入射する光
８：全光線反射部材
９：採光部分を透過し、全光線反射部材８に入射する光
１０：全光線反射部材８で反射され、部材Ｂに入射する光
１１：光拡散性部材
１２：光源
１３：光拡散性部材１１を透過した光の光量が、０°の値の１／２の値になる角度θ
【図１】
2015204755.tif 000003
【図２】
2015204755.tif 000004
【図３】
2015204755.tif 000005
【図４】
2015204755.tif 000006